(57)【要約】【課題】装置が簡易な構造で、可搬性があり、安価で、トロリ線の高さを簡便にかつ正確に測定でき、また作業車などに容易に取り付け可能であること。【解決手段】測定装置１を、ほぼ垂直の枠体７を立設したベースプレート２の四隅部に作業車Ｃなどの取付枠Ｃ２に装着するための固定金具３を設ける。固定金具３は、ベースプレート２上のブラケット部材４に支持させたレバー５を起立回転させ、係合杆６を取付枠Ｃ２の縁部に係合させて固定する。枠体７には縦方向にガイドバー８，８を固定し、これに隣接して縦方向にエアシリンダ９を固定し、さらにエアシリンダ９内のピストンと磁気結合する結合部材１０を介して昇降体１１を昇降可能に支持させる。結合部材１０には、エアシリンダ９へのエア供給により昇降体１１が上昇してトロリ線Ｔに接触したときの結合部材１０の変位量からトロリ線Ｔの高さを測定するエンコーダ１２を設ける。【選択図】  図３
2004184305.tif 000002
【特許請求の範囲】
【請求項１】
上方に位置する測定対象のトロリ線に接触して復帰するように枠体に上下に移動可能に支持された昇降体と、
枠体にほぼ垂直に支持され、前記昇降体に固定された結合部材と磁気的に結合して一体に移動するピストンを内蔵し、空気圧でピストンと共に昇降体を上下動させるエアシリンダと、
このエアシリンダを駆動するコンプレッサと、
前記昇降体の変位量からトロリ線の高さ位置を測定するエンコーダとを具備することを特徴とするトロリ線の高さ測定装置。
【請求項２】
前記結合部材には、その上下の変位量を計測する前記エンコーダが設けられ、
このエンコーダは、一端が固定位置に係止された計測線が巻き付けられたプーリを備え、結合部材の昇降動作と共に計測線を繰り出すプーリの回転変位量からトロリ線の高さを測定することを特徴とする請求項１に記載のトロリ線の高さ測定装置。
【請求項３】
前記昇降体は、縦方向の支持杆の上端に、トロリ線と直交方向に水平に伸びる目盛り付きのスケール杆が結合していることを特徴とする請求項１に記載のトロリ線の高さ測定装置。
【請求項４】
前記枠体には、作業用機器を装着するための取付枠に固定する固定金具が設けられていることを特徴とする請求項１に記載のトロリ線の高さ測定装置。
【発明の詳細な説明】
【０００１】
【産業上の利用分野】
本発明は、架設されたトロリ線の高さを簡易に測定する高さ測定装置に関するものである。
【０００２】
【従来の技術】
従来、架設されたトロリ線の高さを測定する装置には、レール上にゲージ棒を載置して垂直に伸長させ、トロリ線に接触したときのゲージを読み込むことにより測定するものがある。
また、レール上を走行可能な作業車上に測定装置を搭載して、車両を走行させながらトロリ線の高さを連続的に記録するものがある。この測定装置は車両からトロリ線下面に追随するアームを伸ばし、アーム又はその押上手段の上下の変位量を計測する変位計を備えている（例えば、特許文献１参照。）。
【特許文献１】特開平６−９９７６５号公報
【０００３】
【発明が解決しようとする課題】
上記従来の測定装置において、レール上に載置するゲージ棒を使用するタイプのものは、可搬性があるが、トロリ線の延長方向への連続測定ができないし、作業者が測定個所に移動して測定するため、作業性が悪く、また、ゲージ棒の使用状態によって測定結果にばらつきが生じる。一方、特許文献１に記載の作業車上に固定する測定装置は、作業車に常備しなければならず、不経済であり、またアームを押上駆動するための空圧源などの付属装置を用意する必要がある。
そこで、本発明は、簡易な構造で、安価に提供でき、装置自体に可搬性があり、誰でも容易にかつ正確に測定することができ、またいかなる作業車にも容易に取り付け可能なトロリ線の高さ測定装置を提供することを課題としている。
【０００４】
【課題を解決するための手段】
上記課題を解決するため、第１の発明においては、上方に位置する測定対象のトロリ線Ｔに接触して復帰するように枠体７に垂直方向に移動可能に昇降体１１を支持させ、また枠体７にコンプレッサ１３駆動のエアシリンダ９を垂直に支持させ、昇降体１１に固定した結合部材１０と磁気的に結合して一体に移動するピストンを内蔵させ、空気圧でこのピストンと共に昇降体１１を昇降させるようにし、結合部材１０に昇降体１の変位量からトロリ線Ｔの高さ位置を測定するエンコーダ１２を設けてトロリ線の高さ測定装置１を構成した。
第２の発明においては、結合部材１０に、その上下の変位量を計測するエンコーダ１２を設け、このエンコーダ１２は、一端が固定位置に係止された計測線が巻き付けられたプーリを備え、結合部材１０の昇降動作と共に計測線１２ａを繰り出すプーリの回転変位量からトロリ線Ｔの高さ位置を測定するように構成した。
第３の発明においては、昇降体１１を縦方向の支持杆１１ａの上端に、トロリ線Ｔと直交方向に水平に伸びる目盛り付きのスケール杆１１ｂを結合した。
第４の発明においては、枠体７に作業用機器を装着するための取付枠Ｃ２に固定する固定金具３を設けた。
【０００５】
【発明の実施の形態】
本発明の実施の一形態を図面を参照して説明する。
図１及び図２において、トロリ線Ｔは図示しない吊架線でハンガを介して所定の高さ位置にほぼ水平に支持される。このトロリ線Ｔの下方のレールＲを走行可能な軌陸車Ｃの作業台Ｃ１上には、断面Ｕ字状の鋼材を左右に対向させた取付枠Ｃ２が固定されており、各種測定用あるいは作業用の機器を汎用的に取り付けることができる。測定装置１はこの取付枠Ｃ２に着脱自在である。
【０００６】
図３乃至図５に示すように、測定装置１の下部には、ほぼ矩形のベースプレート２を備えている。ベースプレート２の四隅部には、取付枠Ｃ２に装着するための固定金具３を夫々備えている。この固定金具３は、図６に示すように、取付枠Ｃ２の水平フランジに係止して装置１を取付枠Ｃ２に一体に固定するものである。固定金具３は、ブラケット部材４と、このブラケット部材４に軸支されたレバー５と、このレバー５に軸支された係合杆６とで構成されている。ブラケット部材４は、ベースプレート２上に垂直に固着された直角片４ａと、この直角片４ａに側方へ張り出すように固定されて前後に対向する一対の対向片４ｂとを備えている。レバー５はブラケット部材４の対向片４ｂ，４ｂ間にベースプレート２の外側へ縦方向に回動自在に軸支されている。係合杆６は、横断面略コ字状を成すレバー５の中間部内側に回動自在に軸支されている。係合杆６の頭部６ａは軸周りに張り出している。固定金具３は、ベースプレート２を取付枠Ｃ２上に載せ置いて位置合わせしてから、レバー５を起立回転させ、係合杆６を取付枠Ｃ２の水平フランジに有する切欠きに挿入して、レバー５を直立させれば、係合杆６の頭部６ａが取付枠Ｃ２の水平フランジに圧接し、固定される。なお、係合杆６は、取付枠Ｃ２の鋼材の水平フランジの厚さに応じて予め長さを調整しておく。
【０００７】
ベースプレート２上にはほぼ垂直の枠体７が立設されている。この枠体７の背部には、これに沿って縦方向に固定された左右二本のガイドバー８，８と、ガイドバー８，８相互間に縦方向に固定されたエアシリンダ９と、ガイドバー８，８に嵌合し、これらに沿って上下に移動自在の結合部材１０と、下端が結合部材１０に固定された縦方向の昇降体１１とを備えている。ガイドバー８及びエアシリンダ９の上下端は、枠体７の途上に固定されている。昇降体１１は、結合部材１０に下端が結合され、枠体７の上端に水平に突設されたガイドブラケット７ａを上下に貫通して移動自在に支持された支持杆１１ａと、この支持杆１１ａの上端に中央部が結合され、水平に伸びた目盛り付きスケール杆１１ｂとを具備している。結合部材１０はエアシリンダ９との対面部位にエアシリンダ９内のピストンと互いに磁気的に結合する磁石を内蔵しており、エアシリンダ９へのエア供給の制御によりピストンと共に昇降動作する。
【０００８】
結合部材１０の側部には、その上下の変位量を計測するエンコーダ１２が設けられている。エンコーダ１２は、内蔵プーリに計測線１２ａが巻き付けられており、この計測線１２ａの端部がマグネットホルダ１２ｂに係止されて構成される。結合部材１０の昇降動作と共に計測線１２ａを繰り出す内蔵プーリの回転変位をカウントして電気的信号を出力し、別途設けられた図示しない表示装置で数値表示し及び記録する。マグネットホルダ１２ｂは、図１、図４に示すように、計測線１２ａを軌陸車Ｃの作業台Ｃ１に貫通させて固定フレームＣ３に磁気吸着させる。マグネットホルダ１２ｂは、作業台Ｃ１の昇降動作に関わらず、その位置が固定されるので、レールＲから一定の高さとなり、エンコーダ１２により計測される昇降体１１の変位量をトロリ線Ｔの高さに対応させるために行う初期設定の一定の加算値になる。
【０００９】
エアシリンダ９にエアを供給するコンプレッサ１３は、ベースプレート２の後部上に固定されている。エアの供給を制御するレギュレータ１４は、枠体７の下部に固定されている。昇降体１１の昇降切替用操作スイッチ１５は、枠体７の中間部に固定されている。
【００１０】
この測定装置１は、例えば鉄道レール上を走行する軌陸車Ｃ上の取付枠Ｃ２にベースプレート２の四隅の固定金具３で装着する。固定金具３は、係合杆６を取付枠Ｃ２の切欠きに合わせるようにベースプレート２を取付枠Ｃ１上に位置合わせし、係合杆６を切欠きに挿入しつつレバー５を起立回転させれば、係合杆６が上方へ引き上げられて頭部６ａが取付枠Ｃ１をベースプレート２側に強く押し当たり、取付枠Ｃ２に夫々固定される。
【００１１】
そして、測定対象のトロリ線Ｔ下に測定装置１を配置し、予めマグネットホルダ１２ｂを軌陸車Ｃの固定フレームＣ３に磁気吸着させて固定しておき、作業台Ｃ１を貫通した計測線１２ａを巻き込取るエンコーダ１２の初期位置において、表示装置がスケール杆１１ｂの高さを表示するようにマグネットホルダ１２ｂの高さを考慮して表示装置を設定する。操作スイッチ１５を操作してコンプレッサ１３からエアを供給し、エアシリンダ９内のピストンと共に結合部材１０を上昇させると、ガイドバー８，８に沿って昇降体１１が上昇し、トロリ線Ｔにスケール杆１１ｂが押し当たるので、操作スイッチ１５を操作してエアの供給を止める。このとき、結合部材１０に設けられたエンコーダ１２の計測線１２ａが引き出されて内蔵プーリの回転変位から長さがカウントされ、表示装置にトロリ線の高さが数値表示されると共に記録される。表示装置は、エンコーダ１２の初期位置の高さ、即ちレールからマグネットホルダ１２ｂまでの高さとマグネットホルダ１２ｂからエンコーダ１２の初期位置までの高さとに、エンコーダ１２の変位量を加算して実際の高さを表示、記録する。トロリ線Ｔの横方向の偏位は、トロリ線Ｔ，Ｔの中間点を基準位置としてこれに対する横方向の偏位がスケール杆１１ｂの目盛りで確認できる。測定が済んだら、操作スイッチ１５を操作してコンプレッサ１３のエア供給を停止させ、エアシリンダ９内のピストンと共に結合部材１０を下降させ、昇降体１１を下げる。そして、次の測定位置に軌陸車Ｃを移動させて同じ操作を繰り返す。
【００１２】
なお、取付枠Ｃ２は軌陸車のみならず、レール上を移動できる作業用タワーに取り付けたものでもよいし、またレール上に単に載せ置かれる作業台のようなものに取り付けたものでもよい。
【００１３】
【発明の効果】
以上のように、本発明は、簡易な構成で、運搬、設置、測定操作等において取り扱い易く、作業車や作業タワーなどに自由に着脱でき、誰でも容易に正確な測定を行うことができ、作業性が良好で、しかも安価に提供できる。また、昇降体にスケール杆を設ければトロリ線の横方向の変位も測定できる。さらに、固定金具により作業用機器の取付枠に着脱させれば、作業時に必要に応じて使用できるという効果を有する。
【図面の簡単な説明】
【図１】本発明に係る測定装置を搭載とした作業車の正面図である。
【図２】作業車の側面図である。
【図３】本発明に係る測定装置の正面図である。
【図４】測定装置の側面図である。
【図５】測定装置の平面図である。
【図６】固定金具の正面図である。
【符号の説明】
１    測定装置
２    ベースプレート
３    固定金具
５    レバー
６    係合杆
７    枠体
８    ガイドバー
９    エアシリンダ
１０    結合部材
１１    昇降体
１１ａ  支持杆
１１ｂ  スケール杆
１２    エンコーダ
１２ａ  計測線
１２ｂ  マグネットホルダ
１３    コンプレッサ
１４    レギュレータ
１５    操作スイッチ
Ｃ    軌陸車
Ｃ２  取付枠
Ｔ    トロリ線
Ｒ    レール
【図１】
2004184305.tif 000003
【図２】
2004184305.tif 000004
【図３】
2004184305.tif 000005
【図４】
2004184305.tif 000006
【図５】
2004184305.tif 000007
【図６】
2004184305.tif 000008